(57)【要約】【課題】開閉窓の開閉状態について窓を直接目視することなく確認することのできる開閉遠隔操作用部品を提供する。【解決手段】窓を開閉する開閉装置１に連係して垂れ下がり、これを駆動操作する無端状の引紐材５に取付けられる開閉遠隔操作用部品１であって、互いに対向し連結される２つの分割部材１０、１０からなり、各分割部材１０は、互いの位置を規制するボス１１及び相手側のボス１１を挿入させるボス挿入部１２と、互いを結合する嵌合部１３及び相手側の嵌合部１３を固定する被嵌合部１４と、双方結合された際に引紐材５を収納する収納部１５とを備え、収納部１５には引紐材５を拘束する固定手段１７が取付けられ、２つの分割部材１０は、少なくとも引紐材５のうち開閉装置１から垂れ下がる一方側と他方側の所定位置にそれぞれ取付自在とされてなる。【選択図】図３
2008248516.tif 000002
【特許請求の範囲】
【請求項１】
窓を開閉する開閉装置に連係して垂れ下がり、これを駆動操作する無端状の引紐材に取付けられる開閉遠隔操作用部品であって、
互いに対向し連結される２つの分割部材からなり、各分割部材は、互いの位置を規制するボス及び相手側のボスを挿入させるボス挿入部と、互いを結合する嵌合部及び相手側の嵌合部を固定する被嵌合部と、双方結合された際に前記引紐材を収納する収納部とを備え、前記収納部には前記引紐材を拘束する固定手段が取付けられ、前記２つの分割部材は、少なくとも前記引紐材のうち前記開閉装置から垂れ下がる一方側と他方側の所定位置にそれぞれ取付自在とされたことを特徴とする開閉遠隔操作用部品。
【請求項２】
前記２つの分割部材は同一形状に形成されてなることを特徴とする請求項１記載の開閉遠隔操作用部品。
【請求項３】
前記引紐材を拘束する固定手段は前記分割部材と別体の固定金具からなり、該固定金具は前記分割部材間に嵌入されることを特徴とする請求項１または２記載の開閉遠隔操作用部品。
【請求項４】
前記分割部材には前記引紐材に取付けられた際の操作方向を表示する表示部を表面に備えたことを特徴とする請求項１〜３のいずれか１項に記載の開閉遠隔操作用部品。
【請求項５】
窓を開閉する開閉装置に対し連係して垂れ下がり、これを駆動操作する無端状の引紐材に対し、前記開閉装置から垂れ下がる一方側と他方側の所定位置にそれぞれ開閉遠隔操作用部品を取付けた窓の開閉遠隔操作方法であって、
前記窓が全開または全閉状態において前記開閉遠隔操作用部品は所定の相対位置にあり、前記引紐材の一方側または他方側を引く操作により前記窓を開方向または閉方向に動作させると共に、前記開閉遠隔操作用部品の相対位置を変化させ、前記操作により前記窓が全開または全閉状態となると、前記開閉遠隔操作用部品が所定の相対位置となって前記窓の全開または全閉を視認できるようにしたことを特徴とする窓の開閉遠隔操作方法。
【発明の詳細な説明】
【技術分野】
【０００１】
本発明は、高い位置に設けられる窓の開閉を遠隔操作するための引紐材に取付けられる開閉遠隔操作用部品及びそれを用いた窓の開閉遠隔操作方法に関する。
【背景技術】
【０００２】
従来、ルーバー窓や辷り出し窓のような開閉窓が知られており、これら開閉窓においては窓開閉装置によって窓の開閉を行うのが一般的である。窓開閉装置は、回動自在なハンドルを有して手動で直接操作されるものや、ハンドルの代わりに操作用プーリが設けられ、これに取付けられたチェーンなどの引紐材により手動で遠隔操作されるものなどがある。このうち、開閉窓が高所に設けられる場合には、ボールチェーンやケーブルあるいはロープなどの引紐材により操作用プーリを遠隔操作することにより、低い位置から容易に窓の開閉を行うことができる。このような引紐材を備えた開閉窓の開閉装置としては例えば特許文献１に挙げるようなものがある。
【特許文献１】特開平８−８６１４２号公報
【発明の開示】
【発明が解決しようとする課題】
【０００３】
引紐材の操作の際、窓の開閉状態は目視で観察するか、または引紐材が止まるまで操作を継続することとなっていた。しかし、窓が高所にある場合などにおいては、窓の全開または全閉の目視確認は困難であり、また引紐材が止まるまで操作を継続すると、開閉装置への負担が大きくなる。
【０００４】
本発明は、前記課題を解決すべくなされたものであり、開閉窓の開閉状態について窓を直接目視することなく確認することのできる開閉遠隔操作用部品及びそれを用いた窓の開閉遠隔操作方法を提供することを目的とする。
【課題を解決するための手段】
【０００５】
上記課題を解決するため、本発明に係る開閉遠隔操作用部品は、窓を開閉する開閉装置に連係して垂れ下がり、これを駆動操作する無端状の引紐材に取付けられる開閉遠隔操作用部品であって、
互いに対向し連結される２つの分割部材からなり、各分割部材は、互いの位置を規制するボス及び相手側のボスを挿入させるボス挿入部と、互いを結合する嵌合部及び相手側の嵌合部を固定する被嵌合部と、双方結合された際に前記引紐材を収納する収納部とを備え、前記収納部には前記引紐材を拘束する固定手段が取付けられ、前記２つの分割部材は、少なくとも前記引紐材のうち前記開閉装置から垂れ下がる一方側と他方側の所定位置にそれぞれ取付自在とされたことを特徴として構成されている。
【０００６】
また、本発明に係る開閉遠隔操作用部品は、前記２つの分割部材は同一形状に形成されてなることを特徴として構成されている。
【０００７】
さらに、本発明に係る開閉遠隔操作用部品は、前記引紐材を拘束する固定手段は前記分割部材と別体の固定金具からなり、該固定金具は前記分割部材間に嵌入されることを特徴として構成されている。
【０００８】
さらにまた、本発明に係る開閉遠隔操作用部品は、前記分割部材には前記引紐材に取付けられた際の操作方向を表示する表示部を表面に備えたことを特徴として構成されている。
【０００９】
そして、本発明に係る窓の開閉遠隔操作方法は、窓を開閉する開閉装置に対し連係して垂れ下がり、これを駆動操作する無端状の引紐材に対し、前記開閉装置から垂れ下がる一方側と他方側の所定位置にそれぞれ開閉遠隔操作用部品を取付けた窓の開閉遠隔操作方法であって、
前記窓が全開または全閉状態において前記開閉遠隔操作用部品は所定の相対位置にあり、前記引紐材の一方側または他方側を引く操作により前記窓を開方向または閉方向に動作させると共に、前記開閉遠隔操作用部品の相対位置を変化させ、前記操作により前記窓が全開または全閉状態となると、前記開閉遠隔操作用部品が所定の相対位置となって前記窓の全開または全閉を視認できるようにしたことを特徴として構成されている。
【発明の効果】
【００１０】
本発明に係る窓の開閉遠隔操作用部品によれば、互いに対向し連結される２つの分割部材からなり、各分割部材は、互いの位置を規制するボス及び相手側のボスを挿入させるボス挿入部と、互いを結合する嵌合部及び相手側の嵌合部を固定する被嵌合部と、双方結合された際に引紐材を収納する収納部とを備え、収納部には引紐材を拘束する固定手段が取付けられ、２つの分割部材は、少なくとも引紐材のうち開閉装置から垂れ下がる一方側と他方側の所定位置にそれぞれ取付自在とされたことにより、引紐材に容易に取付けることができ、また引紐材の操作に伴って２つの相対位置を変化させることができるので、窓の開閉状態を直接視認できなくても、開閉遠隔操作用部品の配置関係によって容易に窓の開閉状態を確認することができ、また引紐材が動かなくなるまで操作する必要がなくなるため、開閉装置にかかる負担を軽減することができる。
【００１１】
また、本発明に係る窓の開閉遠隔操作用部品によれば、２つの分割部材は同一形状に形成されてなることにより、部品の種類を少なくすることができて、コストダウンを図ることができる。
【００１２】
さらに、本発明に係る窓の開閉遠隔操作用部品によれば、引紐材を拘束する固定手段は分割部材と別体の固定金具からなり、固定金具は分割部材間に嵌入されることにより、固定手段を容易に取付けることができると共に、引紐材に対して確実に上下方向の位置決め固定を行うことができる。
【００１３】
さらにまた、本発明に係る窓の開閉遠隔操作用部品によれば、分割部材には引紐材に取付けられた際の操作方向を表示する表示部を表面に備えたことにより、引紐材の操作の際に、操作方向を容易に認識することができる。
【００１４】
そして、本発明に係る窓の開閉遠隔操作方法によれば、窓が全開または全閉状態において開閉遠隔操作用部品は所定の相対位置にあり、引紐材の一方側または他方側を引く操作により窓を開方向または閉方向に動作させると共に、開閉遠隔操作用部品の相対位置を変化させ、操作により窓が全開または全閉状態となると、開閉遠隔操作用部品が所定の相対位置となって窓の全開または全閉を視認できるようにしたことにより、窓が高所に設けられている場合など、窓の開閉状態を直接視認できなくても、開閉遠隔操作用部品の配置関係によって容易に窓の開閉状態を確認することができ、また引紐材が動かなくなるまで操作する必要がなくなるため、開閉装置にかかる負担を軽減することができる。
【発明を実施するための最良の形態】
【００１５】
本発明の実施形態について、図面に沿って詳細に説明する。本実施形態における開閉遠隔操作用部品は、開閉窓の一種であるルーバー窓を構成する開閉装置に対して取付けられる。図１にはルーバー窓の開閉装置付近の斜視図を示している。ルーバー窓は、建物開口部に取付けられる枠体２０内に開閉機構２２を介して上下方向に複数設けられるガラス２１を納めてなるものであり、それぞれのガラス２１は開閉機構２２によって回動されることで、開閉自在とされている。開閉機構２２は、ルーバー窓の室内側に取付けられる開閉装置１によって駆動される。
【００１６】
開閉装置１は、枠体２０を構成する縦枠２３に取付けられ、略箱状に形成される本体部２と、本体部２から回転軸部が突出した駆動部３と、駆動部３に対して取付けられる操作用プーリ４とを備えている。また、操作用プーリ４には、これを下方から操作するための引紐材５が取付けられている。この開閉装置１は、引紐材５の一方側を引くように操作すると、操作用プーリ４内に設けられた滑車（図示しない）が回転し、それに伴って駆動部３が回転駆動される。また、本体部２は縦枠２３内において開閉機構２２と連係しており、駆動部３が回転駆動されるのに伴い、開閉機構２２を駆動する。すなわち、引紐材５を引くように操作することで、開閉機構２２を駆動してガラス２１の開閉を行うことができる。
【００１７】
引紐材５は、多数のボール３０間を軸状のリンク３１で連結してなり無端状のチェーンとして形成されている。引紐材５の操作用プーリ４から垂れ下がった一方側と他方側には、それぞれ開閉遠隔操作用部品６が取付けられている。これらの開閉遠隔操作用部品６は、引紐材５が操作されるのに伴って上下方向に移動し、それによって２つの開閉遠隔操作用部品６間の相対位置が変化する。
【００１８】
図２には、開閉遠隔操作用部品６の分解斜視図を示している。開閉遠隔操作用部品６は、２つの分割部材１０を結合することによって構成されている。これら２つの分割部材１０は、同形状に形成されており、一方を他方に対し上下反転させると共に、互いに対向した状態で位置決めされると共に嵌合によって結合される。
【００１９】
分割部材１０は、他方の分割部材１０と対向する面（以下対向面という）に、位置決めをするためのボス１１と、他方の分割部材１０のボス１１を挿入するためのボス挿入部１２とを有している。ボス１１とボス挿入部１２は、それぞれ対角状に配置されて、同形状に形成された対向する他方の分割部材１０に対して、ボス１１が他方のボス挿入部１２に挿入できるようにしている。これによって分割部材１０同士を位置決めする。
【００２０】
また、分割部材１０からは対向する他方の分割部材１０に向かって突出する嵌合部１３が形成されている。嵌合部１３は、矢じり状に形成されており、他方の分割部材１０の嵌合部１３に対向する部分には、嵌合部１３を嵌合させることのできる被嵌合部１４が形成されている。前述のように分割部材１０は同形状に形成されているので、一方の分割部材１０の嵌合部１３は他方の分割部材１０の被嵌合部１４に、他方の分割部材１０の嵌合部１３は一方の分割部材１０の被嵌合部１４に、それぞれ固定される。これによって分割部材１０同士を結合する。
【００２１】
分割部材１０には、その内部に前述の引紐材５を挿通状に収納できるように収納部１５が形成されている。収納部１５は、分割部材１０の上下端の開口部１０ａ間を引紐材５が挿通できるように、分割部材１０の対向面が切り欠かれて形成されている。さらに、対向面には、後述する固定金具１７を固定するための金具固定部１６も凹状に形成されている。
【００２２】
図３には、分割部材１０間に引紐材５を配置した開閉遠隔操作用部品６の分解斜視図を示している。この図に示すように、一方の分割部材１０の金具固定部１６に対して固定手段である固定金具１７が嵌入されることで、収納部１５に固定手段が取付けられた状態で、一方の分割部材１０が引紐材５に対して取付けられる。固定金具１７は、切欠状の挟持部１７ａを有しており、この挟持部１７ａに引紐材５のリンク３１を保持させることで、その上下のボール３０がストッパとなって、開閉遠隔操作用部品６を引紐材５に対して上下方向に固定することができる。また、このように一方の分割部材１０を引紐材５に対して取付けてから、他方の分割部材１０を一方の分割部材１０に対してボス１１及びボス挿入部１２で位置決めすると共に、嵌合部１３及び被嵌合部１４により固定して一体化し、開閉遠隔操作用部品６を構成する。
【００２３】
また、分割部材１０の表面には、取付けられた引紐材５の操作方向を表示する表示部１８が設けられている。表示部１８は両方の分割部材１０に設けられているが、実際に表示がなされているのは、室内側に面する一方の分割部材１０のみである。図３に示しているのは、引紐材５のうち、障子２を開く際に下方に向かって引く側に取付けられる開閉遠隔操作用部品６であり、表示部１８には下方に向かう矢印及び「開」の表示がされている。一方で引紐材５の反対側に取付けられる開閉遠隔操作用部品６には、下方に向かう矢印及び「閉」の表示がされた表示部１８が設けられる。
【００２４】
図４には、引紐材５における開閉遠隔操作用部品６の配置関係について表した正面図を示している。図４（ａ）は窓が全開状態にある場合を表しており、図４（ｂ）は窓が全閉状態にある場合を表している。この図では、一方の開閉遠隔操作用部品６ａを黒色に、他方の開閉遠隔操作用部品６ｂを白色に、それぞれ示している。図４（ａ）に示すように、窓が全開状態にある場合には、一方の開閉遠隔操作用部品６ａが、引紐材５のうち開閉装置１の操作用プーリ４から垂れ下がる一方側の上下方向中間位置に配置され、他方の開閉遠隔操作用部品６ｂが、引紐材５のうち開閉装置１の操作用プーリ４から垂れ下がる他方側の上端付近に配置されている。これによって、窓の全開状態においては、２つの開閉遠隔操作用部品６ａ、６ｂは、一方の開閉遠隔操作用部品６ａが他方の開閉遠隔操作用部品６ｂよりも相対的に下方となるように配置される。
【００２５】
引紐材５の他方側を下方に引いていくと、それに伴って開閉遠隔操作用部品６ａ、６ｂの相対位置は変化し、一方の開閉遠隔操作用部品６ａは上方へ、他方の開閉遠隔操作用部品６ｂは下方へ、それぞれ移動して、やがて図４（ｂ）に示すように、一方の開閉遠隔操作用部品６ａが引紐材５の一方側の上端付近に配置され、他方の開閉遠隔操作用部品６ｂが引紐材５の他方側の上下方向中間位置に配置される。この状態において窓は全閉状態となっている。したがって、窓を全開状態から全閉状態となるように引紐材５を操作する際には、一方の開閉遠隔操作用部品６ａが、引紐材５の上端付近まで上昇したことによって、窓が全閉状態となったことを容易に視認することができる。逆に窓を全閉状態から全開状態となるように引紐材５を操作する際には、他方の開閉遠隔操作用部品６ｂが、引紐材５の上端付近まで上昇したことによって、窓が全開状態となったことを容易に視認することができる。
【００２６】
この開閉遠隔操作用部品６の配置については、図４には限られず、窓の全閉または全開状態において相対位置が異なるように配置していればよい。図５には、開閉遠隔操作用部品６の配置の第２の例について示している。図５（ａ）は窓が全開状態にある場合を表し、図５（ｂ）は窓が全閉状態にある場合を表している。図５（ａ）に示すように、窓が全開状態にある場合には、一方の開閉遠隔操作用部品６ａが、引紐材５のうち開閉装置１の操作用プーリ４から垂れ下がる一方側の下端付近に配置され、他方の開閉遠隔操作用部品６ｂが、引紐材５のうち開閉装置１の操作用プーリ４から垂れ下がる他方側の上下方向中間位置に配置されている。これによって、窓の全開状態においては、２つの開閉遠隔操作用部品６ａ、６ｂは、一方の開閉遠隔操作用部品６ａが他方の開閉遠隔操作用部品６ｂよりも相対的に下方となるように配置される。
【００２７】
引紐材５の他方側を下方に引いていくと、それに伴って開閉遠隔操作用部品６ａ、６ｂの相対位置は変化し、一方の開閉遠隔操作用部品６ａは上方へ、他方の開閉遠隔操作用部品６ｂは下方へ、それぞれ移動し、やがて図５（ｂ）に示すように、開閉遠隔操作用部品６ａ、６ｂが略同じ高さとなる。この状態において窓は全閉状態となっている。したがって、窓を全開状態から全閉状態となるように引紐材５を操作する際には、２つの開閉遠隔操作用部品６ａ、６ｂの相対位置が、上下方向で等しくなったことによって、窓が全閉状態となったことを容易に視認することができる。逆に窓を全閉状態から全開状態となるように引紐材５を操作する際には、一方の開閉遠隔操作用部品６が、引紐材５の下端付近まで下降したことによって、窓が全開状態となったことを容易に視認することができる。
【００２８】
さらに、図６には、開閉遠隔操作用部品６の配置の第３の例について示している。図６（ａ）は窓が全開状態にある場合を表し、図６（ｂ）は窓が全閉状態にある場合を表している。図６（ａ）に示すように、窓が全開状態にある場合には、一方の開閉遠隔操作用部品６ａが、引紐材５のうち開閉装置１の操作用プーリ４から垂れ下がる一方側の下端付近に配置され、他方の開閉遠隔操作用部品６ｂが、引紐材５のうち開閉装置１の操作用プーリ４から垂れ下がる他方側の上下方向中間位置に配置されている。これによって、窓の全開状態においては、２つの開閉遠隔操作用部品６ａ、６ｂは、一方の開閉遠隔操作用部品６ａが他方の開閉遠隔操作用部品６ｂよりも相対的に下方となるように配置される。ただし、他方の開閉遠隔操作用部品６ｂは、図５の例における位置よりも下方に配置される。
【００２９】
引紐材５の他方側を下方に引いていくと、それに伴って開閉遠隔操作用部品６ａ、６ｂの相対位置は変化し、一方の開閉遠隔操作用部品６ａは上方へ、他方の開閉遠隔操作用部品６ｂは下方へ、それぞれ移動して、やがて図６（ｂ）に示すように、一方の開閉遠隔操作用部品６ａが引紐材５の一方側の上下方向中間位置に配置され、他方の開閉遠隔操作用部品６ｂが引紐材５の他方側の下端付近に配置される。この状態において窓は全閉状態となっている。したがって、窓を全開状態から全閉状態となるように引紐材５を操作する際には、他方の開閉遠隔操作用部品６ｂが、引紐材５の下端付近まで下降したことによって、窓が全閉状態となったことを容易に視認することができる。逆に窓を全閉状態から全開状態となるように引紐材５を操作する際には、一方の開閉遠隔操作用部品６ａが、引紐材５の下端付近まで下降したことによって、窓が全開状態となったことを容易に視認することができる。
【００３０】
このように、窓の全開状態と全閉状態で２つの開閉遠隔操作用部品６の相対位置が変化して、窓の全開、全閉を視認できるようにしたことにより、窓が高所に設けられている場合など、窓の開閉状態を直接視認できなくても、開閉遠隔操作用部品６の配置関係によって容易に窓の開閉状態を確認することができ、また引紐材５が動かなくなるまで操作する必要がなくなるため、操作用プーリ４などにかかる負担を軽減することができる。
【００３１】
以上、本発明の実施形態について説明したが、本発明の適用は本実施形態には限られず、その技術的思想の範囲内において様々に適用されうるものである。本実施形態では、ルーバー窓に本発明を適用したものについて示したが、これ以外にも縦辷り出し窓や平行辷り出し窓、あるいはオーニング窓などの各種開閉窓に適用することができる。また、引紐材５に設けられる２つの開閉遠隔操作用部品６の相対位置については、本実施形態では３つの例を示したが、これらには限られず、一方の開閉遠隔操作用部品６ａと他方の開閉遠隔操作用部品６ｂの位置を入れ替えてもよいし、またそれ以外の配置関係としてもよい。さらに、遠隔操作用部品６の外観形状についても、本実施形態のものには限られず、球形やその他の立体形状としてもよい。
【図面の簡単な説明】
【００３２】
【図１】ルーバー窓の開閉装置付近の斜視図である。
【図２】開閉遠隔操作用部品の分解斜視図である。
【図３】分割部材間に引紐材を配置した開閉遠隔操作用部品の分解斜視図である。
【図４】引紐材における開閉遠隔操作用部品の配置関係について表した正面図である。
【図５】開閉遠隔操作用部品の配置の第２の例について示した正面図である。
【図６】開閉遠隔操作用部品の配置の第３の例について示した正面図である。
【符号の説明】
【００３３】
１    開閉装置
２    本体部
３    駆動部
４    操作用プーリ
５    引紐材
６    開閉遠隔操作用部品
１０    分割部材
１０ａ  開口部
１１    ボス
１２    ボス挿入部
１３    嵌合部
１４    被嵌合部
１５    収納部
１６    金具固定部
１７    固定金具
１７ａ  挟持部
１８    表示部
【図１】
2008248516.tif 000003
【図２】
2008248516.tif 000004
【図３】
2008248516.tif 000005
【図４】
2008248516.tif 000006
【図５】
2008248516.tif 000007
【図６】
2008248516.tif 000008